(57)【要約】【課題】ファイダー画像に関する輝度分布を表示する場合、簡易な露出設定が可能となる撮像装置を提供する。【解決手段】デジタルカメラ（撮像装置）は、液晶ディスプレイ（ＬＣＤ）と、複数のボタンで構成される４連スイッチと、回動可能なダイアルとを備えており、露出補正モードと、本撮影前にファインダー画像とそのヒストグラム（輝度分布）をＬＣＤに表示するヒストグラム表示モードとを含む複数の機能モードを有している。露出補正モードでは、４連スイッチの各ボタンに対する撮影者の２工程（アクション）以上の操作入力で露出補正値の変更を行う。一方、ヒストグラム表示モードでは、ダイアルに対する１工程の操作入力で露出補正値の変更を行う。これにより、ファイダー画像に関する輝度分布を表示する場合、簡易な露出設定が可能となる。【選択図】        図６
2004282229.tif 000002
【特許請求の範囲】
【請求項１】
複数の機能モードを有する撮像装置であって、
（ａ）本撮影前に被写体に係る撮影準備画像を取得する撮像手段と、
（ｂ）前記撮影準備画像に基づく表示が可能な表示手段と、
（ｃ）前記撮影準備画像に関する輝度分布を前記表示手段に表示させる輝度分布表示モードに設定する設定手段と、
（ｄ）前記輝度分布表示モードに設定される場合には、特定の操作入力に基づき露出補正に係る露出設定を行う第１露出設定手段と、
（ｅ）前記輝度分布表示モードと異なる所定の機能モードに設定される場合には、所定の操作入力に基づき前記露出設定を行う第２露出設定手段と、を備え、
前記特定の操作入力は、前記所定の操作入力より操作入力の工程が少ないことを特徴とする撮像装置。
【請求項２】
請求項１に記載の撮像装置において、
前記特定の操作入力は、単一の操作入力工程で構成され、
前記所定の操作入力は、複数の操作入力工程で構成されることを特徴とする撮像装置。
【請求項３】
請求項１または請求項２に記載の撮像装置において、
（ｆ）前記設定手段による前記輝度分布表示モードの設定に連動して、前記露出設定を行う機能モードに設定する手段、をさらに備えることを特徴とする撮像装置。
【請求項４】
請求項１に記載の撮像装置において、
（ｇ）１の操作部材に対する操作入力に応じて、前記第２露出設定手段に係る露出設定を行う露出補正モードに設定する手段、をさらに備え、
前記設定手段は、
（ｃ−１）前記１の操作部材に対する操作入力に応じて、前記輝度分布表示モードに設定する手段、を有することを特徴とする撮像装置。
【請求項５】
請求項４に記載の撮像装置において、
（ｈ）前記１の操作部材に対する操作時間を検出する検出手段と、
（ｉ）前記操作時間に応じて、前記輝度分布表示モードへの設定と前記露出補正モードへの設定とを選択的に切替える切替手段と、をさらに備え、
前記特定の操作入力と前記所定の操作入力とは、同一の操作部材に対する操作入力を含むことを特徴とする撮像装置。
【発明の詳細な説明】
【０００１】
【発明の属する技術分野】
本発明は、複数の機能モードを有する撮像装置に関する。
【０００２】
【従来の技術】
デジタルカメラ（撮像装置）においては、ＬＣＤなどの表示部に撮影された画像を表示するのみならず、本撮影前に様々な情報を表示できるものがある。
【０００３】
例えば、特許文献１や特許文献２には、本撮影前のファインダー画像（撮影準備画像）とともにファインダー画像に関する輝度分布を、ヒストグラムとしてリアルタイムで表示する技術が開示されており、このヒストグラムが露光条件に応じて変化することが示されている。
【０００４】
【特許文献１】
特開平６−２８２００４号公報
【特許文献２】
特開２００１−２４５２０４号公報
【０００５】
【発明が解決しようとする課題】
しかしながら、特許文献１および特許文献２では特に開示されていないが、ヒストグラムで露出状態を確認しつつ露出条件を変更する場合でも、通常の露出条件変更操作と同じ操作が要求されるため、その操作は一般に２アクション以上の煩雑な操作となり、簡易に露出設定を行うことは困難である。
【０００６】
本発明は、上記課題に鑑みてなされたものであり、ファイダー画像に関する輝度分布を表示する場合、簡易な露出設定が可能となる撮像装置を提供することを目的とする。
【０００７】
【課題を解決するための手段】
上記の課題を解決するため、請求項１の発明は、複数の機能モードを有する撮像装置であって、（ａ）本撮影前に被写体に係る撮影準備画像を取得する撮像手段と、（ｂ）前記撮影準備画像に基づく表示が可能な表示手段と、（ｃ）前記撮影準備画像に関する輝度分布を前記表示手段に表示させる輝度分布表示モードに設定する設定手段と、（ｄ）前記輝度分布表示モードに設定される場合には、特定の操作入力に基づき露出補正に係る露出設定を行う第１露出設定手段と、（ｅ）前記輝度分布表示モードと異なる所定の機能モードに設定される場合には、所定の操作入力に基づき前記露出設定を行う第２露出設定手段とを備え、前記特定の操作入力は、前記所定の操作入力より操作入力の工程が少ない。
【０００８】
また、請求項２の発明は、請求項１の発明に係る撮像装置において、前記特定の操作入力は、単一の操作入力工程で構成され、前記所定の操作入力は、複数の操作入力工程で構成される。
【０００９】
また、請求項３の発明は、請求項１または請求項２の発明に係る撮像装置において、（ｆ）前記設定手段による前記輝度分布表示モードの設定に連動して、前記露出設定を行う機能モードに設定する手段をさらに備える。
【００１０】
また、請求項４の発明は、請求項１の発明に係る撮像装置において、（ｇ）１の操作部材に対する操作入力に応じて、前記第２露出設定手段に係る露出設定を行う露出補正モードに設定する手段をさらに備え、前記設定手段は、（ｃ−１）前記１の操作部材に対する操作入力に応じて、前記輝度分布表示モードに設定する手段を有する。
【００１１】
また、請求項５の発明は、請求項４の発明に係る撮像装置において、（ｈ）前記１の操作部材に対する操作時間を検出する検出手段と、（ｉ）前記操作時間に応じて、前記輝度分布表示モードへの設定と前記露出補正モードへの設定とを選択的に切替える切替手段とをさらに備え、前記特定の操作入力と前記所定の操作入力とは、同一の操作部材に対する操作入力を含む。
【００１２】
【発明の実施の形態】
＜第１実施形態＞
＜デジタルカメラの要部構成＞
図１〜図３は、本発明の第１実施形態に係るデジタルカメラ１Ａの外観の概略構成を示す図である。図１はデジタルカメラ１Ａの平面図、図２は図１のＩＩ−ＩＩ位置から見た断面図、図３はデジタルカメラ１Ａの背面図に相当する。
【００１３】
デジタルカメラ１Ａは、撮像装置として機能し、略直方体状をしているカメラ本体部２と、カメラ本体部２に着脱可能に装着される撮影レンズ３から構成される。図１に示すように、デジタルカメラ１Ａは撮影画像を記録するメモリカード８が着脱可能に収納されるようになっている。また、デジタルカメラ１Ａは、４本の単三形乾電池Ｅ１〜Ｅ４を直列接続する電源電池Ｅを駆動源としている。
【００１４】
図２に示すように、ズームレンズである撮影レンズ３はレンズ群３０を備えている。ここでは、撮影レンズ３として２群ズームレンズを示しており、レンズ群３０は、大きく２つのレンズ群３００，３０１に分類される。なお、図２および図３においては、図示の都合上、レンズ群３００，３０１をそれぞれ一枚のレンズとして示している。ただし、実際には各レンズ群３００，３０１は、一枚のレンズに限定されず、複数枚のレンズの集合体として構成されていても良い。
【００１５】
一方、カメラ本体部２の内部には、レンズ群３００を駆動するためのモータＭ１、およびレンズ群３０１を駆動するモータＭ２が設けられている。これらのモータＭ１，Ｍ２の駆動により、レンズ群３００，３０１が互いに独立して光軸方向に移動することによって、撮影レンズ３のズーム倍率の変更を行うことが可能である。また、これらのモータＭ１，Ｍ２を用いて、レンズ群３００，３０１を駆動することにより、撮影レンズ３の合焦状態を変更すること、すなわち、フォーカス（ＡＦ）動作を行うことが可能である。
【００１６】
また、撮影レンズ３のレンズ群３０の後方位置の適所にカラー撮像素子３０３が設けられている。カラー撮像素子３０３は、ＣＣＤからなるエリアセンサの各画素の表面に、Ｒ（赤）、Ｇ（緑）、Ｂ（青）のカラーフィルタが市松模様状に貼り付けられた単板式カラーエリアセンサで構成される。このカラー撮像素子（以下、「ＣＣＤ（Ｃｈａｒｇｅ  Ｃｏｕｐｌｅｄ  ｄｅｖｉｃｅ）」という）は、例えば１６００×１２００の画素数を有している。また、ＣＣＤ３０３は、本撮影前に被写体に係るファインダー画像（撮影準備画像）を取得する撮像手段として機能する。
【００１７】
カメラ本体部２の前面には、図１のようにグリップ部Ｇが設けられ、カメラ本体部２の上端の適所にポップアップ形式の内蔵フラッシュ５が設けられている。この内蔵フラッシュ５は、フラット発光が可能な構成となっている。
【００１８】
また、図３のようにカメラ本体部２の上面には、シャッタボタン９および、ダイアル９１が設けられている。このシャッタボタン９については、フォーカス調整用などのトリガーとして用いる半押し状態（これを「Ｓ１状態」という）と、記録用撮影のトリガーとして用いる全押し状態（これを「Ｓ２状態」という）とを検出し、判別する機能を有している。
【００１９】
ダイアル９１は、回動可能となっており、これを廻すことで簡単に各種の設定値を連続的に変更できる。ただし、デジタルカメラ１Ａが有する複数の機能モードのうちのヒストグラム表示モード（後述）に設定される場合には、ダイアル９１を露出補正用として切替える。すなわち、ヒストグラム表示モードでは、ダイアル９１に対する単一の操作入力工程で構成される操作入力に基づき、露出補正に係る露出設定が行われることとなる。なお、ヒストグラム表示モード以外の機能モードに設定される場合には、ダイアル９１に対する操作入力に基づき露出設定と異なる他の種類の設定が行われる。この他の種類の設定としては、例えばコントラストや彩度の調整などがあり、主として露出調整以外の撮影条件の設定である。
【００２０】
一方、カメラ本体部２の背面には、電子ビューファインダ（以下、「ＥＶＦ（Ｅｌｅｃｔｒｏｎｉｃ  Ｖｉｅｗ  Ｆｉｎｄｅｒ）」という）２０と液晶ディスプレイ（以下、「ＬＣＤ（Ｌｉｑｕｉｄ  Ｃｒｙｓｔａｌ  Ｄｉｓｐｌａｙ）」という）１０とが設けられている。なお、光学ファインダーと異なり、撮影待機状態においてＣＣＤ３０３からの画像信号に関するライブビュー表示を行うＥＶＦ２０およびＬＣＤ１０がファインダーとしての機能を担っており、本撮影前のファインダー画像に基づく表示を行える。
【００２１】
また、ＬＣＤ１０は、撮影モードにおいて撮影条件等を設定するためのメニュー画面を表示したり、再生モードにおいてメモリカード８に記録された撮影画像を再生表示することが可能である。
【００２２】
カメラ本体部２は、その背面左方に電源スイッチ１４が設けられ、その背面右方に４連スイッチ１５が設けられている。４連スイッチ１５は、５つの操作ボタンを有し、これらの操作ボタンにおける上下左右の４方向のボタンＳＵ、ＳＤ、ＳＬ、ＳＲを押下することによって各種操作を行うことが可能であるとともに、決定ボタンＳＣを押下することによって各種の設定を決定することが可能となっている。例えば、ＬＣＤ１０に表示されるメニュー画面で選択された項目を変更したり、インデックス画面で選択された再生対象のコマを変更するためのスイッチとして機能する。また、撮影モードにおいて左右方向のボタンＳＬ，ＳＲは、ズーム倍率を変更するためのスイッチとして機能する。具体的には、モータＭ１，Ｍ２の駆動により２つのレンズ群３００，３０１の相対的な位置関係が変更されることによって、ズーム倍率が変更される。より詳細には、右方向スイッチＳＲを押下するとワイド側に連続的に移動し、左方向スイッチＳＬを押下するとテレ側に連続的に移動する。
【００２３】
また、４連スイッチ１５の下方には、実行スイッチ３１、取消スイッチ３２、メニュー表示スイッチ３３及びモード切替スイッチ３４等のスイッチ群１６が設けられている。実行スイッチ３１は、メニュー画面で選択された内容を確定するためのスイッチである。取消スイッチ３２は、メニュー画面で選択された内容を取り消すためのスイッチである。メニュー表示スイッチ３３は、ＬＣＤ１０にメニュー画面を表示させたり、メニュー画面の内容を切り換えたりするためのスイッチとなっている。モード切替スイッチ３４は、デジタルカメラ１Ａの機能モードである「撮影モード」と「再生モード」とを切替えるためのスイッチである。この撮影モードは、静止画撮影や動画撮影を行うモードであり、再生モードは、メモリカード８に記録された撮影画像をＬＣＤ１０またはＥＶＦ２０に再生表示するモードである。デジタルカメラ１Ａの起動時には、自動的に撮影モードが選択されるが、起動後にモード切替スイッチ３４を押下するたびに撮影モードと再生モードとが切替わることとなる。
【００２４】
また、カメラ本体部２の背面には、電源スイッチ１４の上方に表示切替ボタン１７が設けられ、シャッタボタン９の近傍にＡＥロックボタン１８が設けられている。この表示切替ボタン１７は、ＬＣＤ１０（ＥＶＦ２０）に表示されるライブビュー画像に重ねてこの画像データの輝度分布を示すヒストグラムを表示させるヒストグラム表示モード（輝度分布表示モード）に切替えるためのボタンである。また、ＡＥロックボタン１８は、ＡＥ設定をロックするためのボタンである。
【００２５】
また、カメラ本体部２の背面には、ＬＣＤ１０の中央上方に接眼センサ１９が設けられている。この接眼センサ１９は、撮影者がＥＶＦ２０を覗き込んでＥＶＦ２０に接近したことを検知するもので、接眼検知されるとＥＶＦ２０がオンするようになっている。
【００２６】
次に、デジタルカメラ１Ａの内部構成について説明する。図４は、デジタルカメラ１Ａの内部構成を示す概略ブロック図である。
【００２７】
撮影レンズ３は、レンズ群３００，３０１とともに、内部に透過光量を調節するための絞り３０２を備えている。なお、図４においては、図示の都合上、絞り３０２がレンズ群３０１の後側に配置されるように示しているが、絞り３０２の配置はこのようなものに限定されない。たとえば、絞り３０２は、レンズ群３０１（ないし３００）の内部に設けられていても良く、または、両レンズ群３００，３０１の間に設けられていてもよい。
【００２８】
ＣＣＤ３０３は、撮影レンズ３により結像された被写体の光像を、Ｒ（赤）、Ｇ（緑）、Ｂ（青）の色成分の画像信号（各画素で受光された画素信号の信号列からなる信号）に光電変換して出力する。タイミングジェネレータ２１４は、ＣＣＤ３０３の駆動を制御するため、各種のタイミングパルスを生成するものである。
【００２９】
デジタルカメラ１Ａにおける露出制御は、絞り３０２とＣＣＤ３０３の露光量、すなわちシャッタースピードに相当する電荷蓄積時間を調整して行われる。被写体輝度が低輝度時に適切なシャッタースピードが設定できない場合には、ＣＣＤ３０３から出力される画像信号のレベル調整を行うことにより露光不足による不適正露出が補正される。すなわち、低輝度時には、シャッタースピードとゲイン調整とを組合わせて露出制御が行われる。画像信号のレベル調整は、信号処理回路１２１内のＡＧＣ回路のゲイン調整において行われる。
【００３０】
タイミングジェネレータ２１４は、タイミング制御回路２０２から送信される基準クロックに基づきＣＣＤ３０３の駆動制御信号を生成するものである。タイミングジェネレータ２１４は、例えば積分開始／終了（露出開始／終了）のタイミング信号、各画素の受光信号の読出制御信号（水平同期信号、垂直同期信号、転送信号等）等のクロック信号を生成し、ＣＣＤ３０３に出力する。
【００３１】
信号処理部１２０は、ＣＣＤ３０３から出力される画像信号に所定のアナログ信号処理及びデジタル信号処理を行うものである。画像信号の信号処理は画像データを構成する各画素の受光信号毎に行われる。信号処理部１２０は、アナログ信号処理回路１２１、Ａ／Ｄ変換回路１２２、黒レベル補正回路１２３、ホワイトバランス（ＷＢ）回路１２４、γ補正回路１２５、及び画像メモリ１２６を備えている。
【００３２】
アナログ信号処理回路１２１はアナログ信号処理を行うものであり、主にＣＤＳ（相関二重サンプリング）回路及びＡＧＣ（オートゲインコントロール）回路からなり、ＣＣＤ３０３から出力される画素信号のサンプリングノイズの低減と信号レベルの調整を行う。ＡＧＣ回路におけるゲインコントロールには、絞り３０２の絞り値とＣＣＤ３０３の露光時間とで適正露出が得られなかった場合の撮影画像のレベル不足を補償する場合も含まれる。
【００３３】
Ａ／Ｄ変換回路１２２はアナログ信号処理回路１２１から出力されるアナログ信号である画像信号をデジタル信号である画像データに変換するものである。変換後の画像データは、画像メモリ１２６に一旦格納される。
【００３４】
黒レベル補正回路１２３は、Ａ／Ｄ変換回路１２２でＡ／Ｄ変換された画像信号の黒レベルを基準の黒レベルに補正するものである。また、ＷＢ回路１２４は、ＲＧＢ各色成分の画像データに対してレベル変換を行うものである。このＷＢ回路１２４は、全体制御部１５０から入力されるレベル変換テーブルを利用してＲＧＢ各色成分の画像データのレベルを変換する。なお、レベル変換テーブルの各色成分の変換係数（特性の傾き）は、全体制御部１５０により撮影画像ごとに設定される。
【００３５】
γ補正回路１２５は、画像データのγ特性を補正する回路であり、予め設定されたγ補正用テーブルを用いて画像データのレベルを補正する。
【００３６】
画像メモリ１２６は、γ補正回路１２５から出力される画像データを一時保持するメモリである。画像メモリ１２６は、１フレーム分の画像データを格納し得る記憶容量を有している。すなわち、画像メモリ１２６は、ＣＣＤ３０３の画素数に対応する２５００×１９２０画素分の画像データを記憶する容量を有し、各画素データが対応する画素位置に記憶される。
【００３７】
調光回路３０４は、フラッシュ撮影における内蔵フラッシュ５の発光量を、全体制御部１５０により設定された所定の発光量に制御するものである。フラッシュ撮影においては、露出開始と同時に被写体からのフラッシュ光の反射光が調光センサ３０５で受光され、この受光量が所定の発光量に達すると、調光回路３０４から発光停止信号が出力され、この発光停止信号に応答して内蔵フラッシュ５の発光を強制的に停止し、これにより内蔵フラッシュ５の発光量が所定の発光量に制御される。
【００３８】
レンズ制御部１３０は、撮影レンズ３内のレンズ群３００，３０１および絞り３０２の各部材の駆動を制御するものである。レンズ制御部１３０は、絞り３０２の絞り値を制御する絞り制御回路１３１と、モータＭ１，Ｍ２を駆動することによりズームの変倍率を変更するズーム制御回路１３２と、モータＭ１，Ｍ２を駆動することによりフォーカス制御を行うフォーカス制御回路１３３とを備えている。
【００３９】
絞り制御回路１３１は、全体制御部１５０から入力される絞り値に基づいて絞り３０２を駆動し、その開口量を当該絞り値に設定する。フォーカス制御回路１３３は、全体制御部１５０から入力されるＡＦ制御信号に基づいてモータＭ１，Ｍ２の駆動量を制御し、レンズ群３００，３０１を焦点位置に設定する。ズーム制御回路１３２は、４連スイッチ１５による入力に応じて全体制御部１５０から入力されるズーム制御信号に基づいて、モータＭ１，Ｍ２を駆動してレンズ群３００，３０１を移動させる。これによって、ズームの状態が、ワイド側あるいはテレ側へと移動する。
【００４０】
表示部１４０は、ＬＣＤ１０及びＥＶＦ２０への表示を行うものである。表示部１４０には、ＬＣＤ１０、ＥＶＦ２０とともに、ＬＣＤ１０に再生表示されるの画像データのバッファメモリとなるＬＣＤＶＲＡＭ１４１及びＥＶＦ２０に再生表示される画像データのバッファメモリとなるＥＶＦＶＲＡＭ１４２を備えている。このＬＣＤＶＲＡＭ１４１は、ＬＣＤの画素数６４０×４８０に対応した画像データの記憶容量を有しており、ＥＶＦＶＲＡＭ１４２は、ＥＶＦ２０の画素数４００×３００に対応した画像データの記憶容量を有している。
【００４１】
撮影待機状態においては、ＣＣＤ３０３により１／３０（秒）毎に順次に生成された画像（ファインダー画像）の各画素データが、信号処理部１２０による所定の信号処理を施された後、画像メモリ１２６に一時記憶される。そして、全体制御部１５０によって読み出され、データサイズが調整された後にＬＣＤＶＲＡＭ１４１及びＥＶＦＶＲＡＭ１４２に転送され、ＬＣＤ１０及びＥＶＦ２０にファインダー画像として表示される。これにより撮影者は、被写体像を視認することができる。また、再生モードにおいては、メモリカード８から読み出された画像が全体制御部１５０によって所定の信号処理が施された後に、ＬＣＤＶＲＡＭ１４１に転送され、ＬＣＤ１０に再生表示されることとなる。
【００４２】
操作部１０１は、上述したカメラ本体部２に設けられた撮影や再生に関する操作部材の操作情報を全体制御部１５０に入力するものである。操作部１０１から入力される操作情報には、シャッタボタン９、電源スイッチ１４、４連スイッチ１５及びスイッチ群１６等の各操作部材の操作情報が含まれる。
【００４３】
全体制御部１５０は、マイクロコンピュータからなり、撮影機能及び再生機能を統括制御するものである。全体制御部１５０には、カードインターフェース１０３を介してメモリカード８が接続されている。また、通信用インターフェース１０５を介してパーソナルコンピュータＰＣが外部接続されるようになっている。
【００４４】
全体制御部１５０は、撮影機能及び再生機能における数々の具体的な処理を行うための処理プログラムや上述したデジタルカメラ１Ａの各部材の駆動を制御するための制御プログラムが記憶されたＲＯＭ１５１と、処理プログラム及び制御プログラムに従って数々の演算作業を行うための作業領域となるＲＡＭ１５２を備えている。なお、記録媒体であるメモリカード８に記録されている例えば露出補正値設定プログラムなどのプログラムデータをカードＩ／Ｆ１０３を介して読み出し、ＲＯＭ１５１に格納することができるようになっている。従って、これらの処理プログラム及び制御プログラムは、メモリカード８からデジタルカメラ１Ａ中にインストールされることが可能である。なお、処理プログラム及び制御プログラムは、通信用Ｉ／Ｆ１０５を介してパーソナルコンピュータＰＣからインストール可能となっていても良い。
【００４５】
また、全体制御部１５０は、露出制御値（シャッタスピード（ＳＳ）と絞り値）を設定するための輝度判定部と露出量設定部とを備えている。露出補正では、通常、メニュー表示スイッチ３３によってデジタルカメラ１Ａの機能モードである露出設定モードを呼び出し、４連スイッチ１５を操作することで露出補正値を調整できる。その具体的な操作方法について以下で説明する。
【００４６】
図５は、露出設定モードにおける露出補正値の設定を説明するための図である。
【００４７】
まず、メニュー表示スイッチ３３を撮影者が押下することで図５（ａ）に示す選択画面がＬＣＤ１０に表示される。次に、４連スイッチ１５のボタンＳＵ、ＳＤを操作することにより図５（ｂ）のように露出設定モードを選択し、決定ボタンＳＣの押下によって図５（ｃ）に示す画面に移行する。この画面では、ボタンＳＵ、ＳＤの操作により「＋２〜−２」の範囲において０．３づつ補正値を増減できる。そして、図５（ｄ）に示すように所望の補正値に設定した後、決定ボタンＳＣを押下することにより、露出補正値が「＋０．３」に決定される（図５（ｅ））。以上のように、露出設定モードが設定される場合には、４連スイッチ１５のボタンＳＵ、ＳＤ、ＳＣに対する複数の操作入力工程で構成される操作入力に基づき、露出補正に係る露出設定が行われることとなる。
【００４８】
全体制御部１５０は、上記撮影画像の記録処理を行なうために、フィルタリング処理を行なうフィルタ部とサムネイル画像及び圧縮画像を生成する記録画像生成部とを備え、メモリカード８に記録された画像をＬＣＤ１０やＥＶＦ２０に再生するために、再生画像を生成する再生画像生成部を備えている。
【００４９】
上記のフィルタ部は、デジタルフィルタにより記録すべき画像の高周波成分を補正して輪郭に関する画質の補正を行なうものである。また、記録画像生成部は、画像メモリ１２６から画像データを読み出してメモリカード８に記録すべきサムネイル画像と圧縮画像とを生成する。この記録画像生成部は、画像メモリ１２６から横方向と縦方向の両方向でそれぞれ８画素毎に画素データを読み出し、順次、メモリカード８に転送することで、サムネイル画像を生成しつつメモリカード８に記録する。さらに、記録画像生成部は、画像メモリ１２６から全画素データを読み出し、これらの画素データに２次元ＤＣＴ変換、ハフマン符号化等のＪＰＥＧ方式による所定の圧縮処理を施して圧縮画像の画像データを生成し、この圧縮画像データをメモリカード８の画像エリアに記録する。
【００５０】
全体制御部１５０は、撮影モードにおいて、シャッタボタン９により撮影が指示されると、撮影指示後に画像メモリ１２６に取り込まれた画像のサムネイル画像と設定された圧縮率によりＪＰＥＧ方式により圧縮された圧縮画像とを生成し、撮影画像に関するタグ情報（コマ番号、露出値、シャッタスピード、圧縮率、撮影日、撮影時のフラッシュのオンオフのデータ、シーン情報、画像の判定結果等）等の情報とともに両画像をメモリカード８に記憶する。
【００５１】
カードＩ／Ｆ１０３を介してメモリカード８に記録された画像の各コマには、タグ情報と、ＪＰＥＧ形式で圧縮された高解像度の画像データ（１６００×１２００画素）と、サムネイル表示用の画像データ（８０×６０画素）とが記録されている。
【００５２】
モード切替スイッチ３４で再生モードを選択したときには、メモリカード８内のコマ番号の最も大きな画像データが読み出され、再生画像生成部にて、データ伸張され、これがＬＣＤＶＲＡＭ１４１やＥＶＦＶＲＡＭ１４２に転送されることにより、ＬＣＤ１０やＥＶＦ２０には、コマ番号の最も大きな画像すなわち直近に撮影された画像が表示される。ボタンＳＵを操作することにより、コマ番号の大きな画像が表示され、ボタンＳＤを押すことによりコマ番号の小さな画像が表示される。
【００５３】
＜デジタルカメラ１Ａの動作＞
図６は、デジタルカメラ１Ａの基本的な動作を説明するフローチャートである。本動作は、特に撮影モードでの動作を示しており、全体制御部１５０のＲＯＭ１５１に格納される露出補正値設定プログラムを実行することにより実施される。
【００５４】
まず、撮影者が電源スイッチ１４をオンにして、モード切替スイッチ３４で撮影モードが選択される（ステップＳＴ１）。
【００５５】
ステップＳＴ２では、ＣＣＤ３０３で取得された画像データに基づき、図７に示すファインダー画像Ｇ１がＬＣＤ１０にライブビュー状態で表示される。ここで、接眼センサ１９により撮影者の接眼が検知された場合には、ＬＣＤ１０がオフされるとともにＥＶＦ２０がオンされてＥＶＦ２０にファインダー画像Ｇ１が表示されることとなる。なお、以下では、説明の便宜上、撮影者の接眼が検知されない場合、すなわちファインダー画像がＬＣＤ１０に表示する場合について説明する。
【００５６】
ステップＳＴ３では、メニュー表示スイッチ１７が撮影者により押下されたかを判定する。ここで、メニュー表示スイッチ１７が押下された場合には、図５（ａ）に示す選択画面をＬＣＤ１０に表示してステップＳＴ４に進み、押下されていない場合には、ステップＳＴ１４に進む。
【００５７】
ステップＳＴ４では、露出設定モードが選択されたかを判定する。この場合、上述したように４連スイッチ１５のボタンＳＵ、ＳＤを操作して露出設定モードを選択し、決定ボタンＳＣが押下されたかを判断する（図５（ｂ）参照）。ここで、露出設定モードが選択された場合には、ステップＳＴ５に進んで露出設定モードに設定する。一方、選択されていない場合には、ステップＳＴ１に戻る。
【００５８】
ステップＳＴ６では、４連スイッチ１５によって露出補正値が変更されたかを判定する。ここでは、４連スイッチ１５のボタンＳＵ、ＳＤを操作することにより、図５（ｃ）に示す露出補正値「０」の状態から、例えば図５（ｄ）に示すように露出補正値が変化したかを判断する。ここで、露出補正値が変更された場合には、ステップＳＴ７に進み、変更されていない場合には、ステップＳＴ１１に進む。
【００５９】
ステップＳＴ７では、露出補正値を決定する。具体的には、決定ボタンＳＣを押下することにより、図５（ｅ）に示すように露出補正値を決定する。
【００６０】
ステップＳＴ８では、露出設定モードを終了する。具体的には、メニュー表示スイッチ１７の押下により露出設定モードを解除する。
【００６１】
ステップＳＴ９では、レリーズ操作、すなわちシャッターボタン９の全押し操作（Ｓ２オン）を行う。
【００６２】
ステップＳＴ１０では、撮影動作を行い撮影画像を記録する。すなわち、ＣＣＤ３０３で画像データを取得してメモリカード８に記録する。この場合、ステップＳ７で決定された露出補正値に基づき、露出補正動作が行われる。
【００６３】
ステップＳＴ１１では、ステップＳＴ８と同様に設定補正モードを終了する。
【００６４】
ステップＳＴ１２では、ステップＳＴ９と同様にレリーズ操作を行う。
【００６５】
ステップＳＴ１３では、ステップＳＴ１０と同様に、撮影動作を行い撮影画像を記録する。なお、露出補正値は変更されていないため、ステップＳＴ１０と異なり、露出補正値が「０」の状態で撮影動作が行われる。
【００６６】
ステップＳＴ１４では、表示切替ボタン１７が撮影者により押下されたかを判定する。ここで、表示切替ボタン１７が押下された場合には、ステップＳＴ１５に進み、押下されていない場合には、ステップＳＴ１に戻る。
【００６７】
ステップＳＴ１５では、ＬＣＤ１０にヒストグラムを表示するヒストグラム表示モードに設定する。具体的には、図８に示すように、ファインダー画像Ｇ２に重畳して、ＣＣＤ３０３で取得した画像全体の輝度分布を表すヒストグラムＨＧ１（平行斜線部）が表示される。これにより、撮影者は、ファインダ画像Ｇ２の平均的な輝度を把握できることとなる。
【００６８】
ステップＳＴ１６では、撮影者によるダイアル９１の操作が行われたかを判定する。ここで、ダイアル９１が操作された場合には、ステップＳＴ１７に進み、操作されていない場合には、ステップＳＴ２１に進む。
【００６９】
ステップＳＴ１７では、変更されたヒストグラムを表示する。この場合、ダイアル９１の操作によって変更された露出補正値に基づく露出条件で撮像されたファインダー画像からヒストグラムを再作成することとなる。例えば、ダイアル９１の操作により露出補正値が「＋側」に変更された場合には、図８のヒストグラムＨＧ１に対して高輝度側にシフトしたヒストグラムＨＧ２（図９の平行斜線部）が表示される。
【００７０】
以上のようなダイアル９１の操作によって、露出設定モードと同様に露出補正値の変更が可能となる。すなわち、ヒストグラム表示モードの設定に連動して、露出設定モードと同様に露出設定を行える機能モードが設定されることとなり、利便性が向上する。このダイアル９１の操作による露出設定により、ステップＳＴ４〜ＳＴ６のように露出設定モードを選択し４連スイッチ１５の操作により露出補正値を変更する操作入力に比べて操作入力の工程が少なくなるため、迅速かつ的確に露出補正値の変更を行うことが可能となる。
【００７１】
なお、露出設定モードにおいて４連スイッチ１５の各ボタンＳＵ、ＳＤ、ＳＣを操作するという複雑な操作（アクション）を採用して露出補正値を変更させているのは、露出補正値の変更を撮影者に確実に意識させて誤操作を防止するためである。これに対して、ヒストグラム表示モードでは、ヒストグラム（輝度分布）に関連した操作としては輝度条件を変更する露出補正操作のみであるため、撮影者もそれを明確に意識でき誤操作のおそれがない。よって、ダイアル９１に対する簡易な操作のみで露出補正値を変更できるようにしている。
【００７２】
ステップＳＴ１８では、ダイアル９１で変更された後の補正値を、露出補正値として決定する。
【００７３】
ステップＳＴ１９では、ステップＳＴ９と同様にレリーズ操作を行う。
【００７４】
ステップＳＴ２０では、ステップＳＴ１０と同様に、撮影動作を行い撮影画像を記録する。この場合、ステップＳ１８で決定された露出補正値に基づき、露出補正動作が行われる。
【００７５】
ステップＳＴ２１では、表示切替ボタン１７が撮影者により押下されたかを判定する。ここで、表示切替ボタン１７が押下された場合には、ステップＳＴ２２に進み、押下されていない場合には、ステップＳＴ２３に進む。
【００７６】
ステップＳＴ２２では、ヒストグラム表示モードを終了する。すなわち、図８に示すファインダ画像Ｇ２からヒストグラムＨＧ１の表示を消去する。
【００７７】
ステップＳＴ２３では、ステップＳＴ９と同様にレリーズ操作を行う。
【００７８】
ステップＳＴ２４では、ステップＳＴ１３と同様に、撮影動作を行い撮影画像を記録する。
【００７９】
ステップＳＴ２５では、撮影者が次を撮影するかを判定する。ここでは、モード切替スイッチ３４の操作により撮影モード以外が選択されたかを判断し、撮影モード以外が選択された場合には、撮影モードでの動作を終了する。一方、撮影者が次を撮影する場合には、ステップＳＴ１に戻る。
【００８０】
以上のデジタルカメラ１Ａの動作により、ヒストグラム表示モードではダイアル９１の操作のみで露出補正値の変更を行うため、ファインダー画像に関する輝度分布を表示する場合、簡易で迅速な露出設定が可能となる。一方、露出設定モードでは、ヒストグラム表示モードにおける露出設定より複雑な操作で露出設定を行うため、露出設定に関する操作であることを撮影者に確実に認識させて誤操作防止を図れる。
【００８１】
なお、上記のデジタルカメラ１Ａにおいて、内蔵フラッシュ５によるフラッシュ撮影を行う際、ヒストグラム表示モードが選択されている場合には、撮影者がシャッターボタン９を半押しする（またはＡＥロックボタン１８を押下する）ことによって内蔵フラッシュ５をプリ発光させ、ファインダ画像とヒストグラムとをＬＣＤ１０に表示するようにしても良い。この場合、画像データとして、ＣＣＤ３０３の総画素数２５００×１９２０の画像データを取得するのは必須でなく、ＬＣＤ１０の表示画素数に相当する画素に間引いた画像データを取得するようにしても良い。そして、撮影者は、表示されるヒストグラムを考慮してダイアル９１を操作し、フラッシュ発光を伴う本撮影を行うこととなる。
【００８２】
また、画素加算可能なＣＣＤを使用する場合には、上記のプリ発光動作における発光量を、画素加算量に応じて減少させることができる。具体的には、近隣の２画素を加算する場合には、画素加算を行なわない場合の発光量に対して、１／２程度の発光量で足りることとなる。これにより、内蔵フラッシュ５のチャージアップ時間が短縮され、迅速なフラッシュ撮影が可能となり、シャッターチャンスを逃すのを防止できる。なお、信号処理回路１２１内のＡＧＣ回路のゲインを増加させることによっても、プリ発光における発光量を抑えることができる。
【００８３】
＜第２実施形態＞
＜デジタルカメラの要部構成＞
図１０および図１１は、本発明の第２実施形態に係るデジタルカメラ１Ｂの外観の概略構成を示す図である。図１０はデジタルカメラ１Ｂの背面図、図１１は図１０の左側から見たデジタルカメラ１Ｂの側面図に相当する。
【００８４】
デジタルカメラ１Ｂの背面には、デジタルカメラ１Ａと同様の液晶ディスプレイ（ＬＣＤ）１１と、モードダイアル１２と、電子ダイアル９２と、ＡＦの際に利用するポイント選択ダイアル９３とが設けられている。また、デジタルカメラ１Ｂの上面には、感度を設定するための感度設定ダイアル９４が設けられている。
【００８５】
モードダイアル１２は、電源のオン・オフを行うメインスイッチとして機能するとともに、デジタルカメラ１Ａと同様に撮影モード（ＣＡＭＥＲＡモード）や再生モード（ＰＬＡＹモード）の切替えを行うスイッチとして機能する。
【００８６】
また、デジタルカメラ１Ｂの鏡胴には、露出補正ボタン９５が設けられている。この露出補正ボタン９５（１の操作部材）に対する操作入力に応じて、露出補正モードに設定でき、またヒストグラム表示モードに設定できる構成となっている（後で詳述）。これにより、操作部材の増加を抑制できるとともに、相互に関連する露出補正モードおよびヒストグラム表示モードに関する操作入力を露出補正ボタン９５に割付けるため、操作入力の直感的な理解が容易となり、操作性が向上することとなる。
【００８７】
さらに、露出補正モードおよびヒストグラム表示モードでは、電子ダイアル９２、つまり同一の操作部材に対する操作入力を含む操作によって露出補正値を変更できるようになっている（後で詳述）。これにより、操作入力の直感的な理解がより容易となり、操作性が一層向上することとなる。
【００８８】
デジタルカメラ１Ｂの内部構成は、図４に示す第１実施形態と同様の構成を有しており、全体制御部１５０において露出補正値設定プログラムが実行されることにより、以下で説明するデジタルカメラ１Ｂの動作が実施される。
【００８９】
＜デジタルカメラ１Ｂの動作＞
図１２は、デジタルカメラ１Ｂの基本的な動作を説明するフローチャートである。
【００９０】
ステップＳＴ３１およびステップＳＴ３２では、図６のステップＳＴ１およびステップＳＴ２と同様の動作を行う。
【００９１】
ステップＳＴ３３では、撮影者により露出補正ボタン９５が押下される。
【００９２】
ステップＳＴ３４では、露出補正ボタン９５に対する押下時間を検出して、この押下時間ｔが所定の時間ａ（例えば２秒）以上となったかを判定する。ここで、押下時間ｔが所定値ａ以上となった場合には、ステップＳＴ３５に進んで露出補正モードに設定する。一方、押下時間ｔが所定値ａより小さい場合には、ステップＳＴ４４に進む。以上のステップＳＴ３４の動作により、露出補正ボタン９５の操作時間に応じて、ヒストグラム表示モードへの設定と露出補正モードへの設定とが選択的に切替えられることとなる。
【００９３】
ステップＳＴ３６では、撮影者による電子ダイアル９２の操作が行われたかを判定する。ここで、電子ダイアル９２の操作が行われた場合には、ステップＳＴ３７に進み、操作が行われていない場合には、ステップＳＴ４０に進む。
【００９４】
ステップＳＴ３７では、電子ダイアル９２で変更された後の補正値を、露出補正値として決定する。
【００９５】
ステップＳＴ３８およびステップＳＴ３９では、図６に示すステップＳＴ９およびステップＳＴ１０と同様の動作を行う。
【００９６】
ステップＳＴ４０では、ステップＳＴ３３の押下開始から継続して露出補正ボタン９５が押下されているかを判定する。ここで、露出補正ボタン９５が押下中の場合には、ステップＳＴ３６に戻り、押下されていない場合には、ステップＳＴ４１に進む。
【００９７】
ステップＳＴ４１〜ＳＴ４３では、図６に示すステップＳＴ１１〜ＳＴ１３と同様の動作を行う。
【００９８】
ステップＳＴ４４では、ＬＣＤ１１にヒストグラムを表示するヒストグラム表示モードに設定する。具体的には、図８に示すように、ファインダー画像Ｇ２に重畳して、画像全体の輝度分布を表すヒストグラムＨＧ１（平行斜線部）が表示される。
【００９９】
ステップＳＴ４５では、撮影者による電子ダイアル９２の操作が行われたかを判定する。ここで、電子ダイアル９２の操作が行われた場合には、ステップＳＴ４６に進み、操作が行われていない場合には、ステップＳＴ５０に進む。
【０１００】
ステップＳＴ４６では、変更されたヒストグラムを表示する。例えば、電子ダイアル９２の操作により露出補正値が「＋側」に変更された場合には、図８のヒストグラムＨＧ１に対して高輝度側にシフトしたヒストグラムＨＧ２（図９の平行斜線部）がグラフィカルに表示される。このヒストグラム表示モードでは、電子ダイアル９２のみに対する１工程の操作入力により露出補正値を変更するため、露出補正モードのように露出補正ボタン９５の押下（ステップＳＴ４０）と電子ダイアル９２の操作（ステップＳＴ３６）とで構成される２工程の操作入力に比べて、操作入力の工程が少なくなる。その結果、迅速にかつ的確に露出補正値の変更を行えることとなる。
【０１０１】
なお、露出補正モードにおいて露出補正ボタン９５を押下しつつ電子ダイアル９２を操作するという複雑な操作を採用して露出補正値を変更させているのは、露出補正値の変更を撮影者に確実に意識させて誤操作を防止するためである。これに対して、ヒストグラム表示モードでは、ヒストグラム（輝度分布）に関連した操作としては輝度条件を変更する露出補正操作のみであるため、撮影者もそれを明確に意識でき、誤操作のおそれがない。よって、電子ダイアル９２に対する簡易な操作のみで露出補正値を変更できるようにしている。
【０１０２】
ステップＳＴ４７では、電子ダイアル９２で変更された後の補正値を、露出補正値として決定する。
【０１０３】
ステップＳＴ４８およびステップＳＴ４９では、図６に示すステップＳＴ１９およびステップＳＴ２０と同様の動作を行う。
【０１０４】
ステップＳＴ５０では、露出補正ボタン９５が撮影者により押下されたかを判定する。ここで、露出補正ボタン９５が押下された場合には、ステップＳＴ５１に進み、押下されていない場合には、ステップＳＴ５２に進む。
【０１０５】
ステップＳＴ５１では、図６に示すステップＳＴ２２と同様に、ヒストグラム表示モードを終了する。
【０１０６】
ステップＳＴ５２およびステップＳＴ５３では、図６に示すステップＳＴ２３およびステップＳＴ２４と同様の動作を行う。
【０１０７】
ステップＳＴ５４では、撮影者が次を撮影するかを判定する。ここでは、モードダイアル１２の操作により撮影モード以外が選択されたかを判断し、撮影モード以外が選択された場合には、撮影モードでの動作を終了する。一方、撮影者が次を撮影する場合には、ステップＳＴ３１に戻る。
【０１０８】
以上のデジタルカメラ１Ｂの動作により、ヒストグラム表示モードでは、電子ダイアル９２の操作のみで露出補正値の変更を行うため、ファインダー画像に関する輝度分布を表示する場合、簡易な露出設定が可能となる。一方、露出補正モードでは、ヒストグラム表示モードにおける露出設定より複雑な操作で露出設定を行うため、露出設定に関する操作であることを撮影者に確実に認識させて誤操作防止を図れる。
【０１０９】
なお、デジタルカメラ１Ｂが動画撮影可能な動画撮影モードを有している場合には、上述の露出設定手法を動画撮影に適用しても良い。以下では、この動画撮影に関する動作を説明する。
【０１１０】
図１３は、動画撮影の動作を説明するフローチャートである。
【０１１１】
ステップＳＴ５１では、撮影者によって動画撮影モードが設定される。
【０１１２】
ステップＳＴ５２〜ＳＴ５６では、図１２のステップＳＴ３３〜ＳＴ３７と同様の動作を行う。
【０１１３】
ステップＳＴ５７では、撮影者によって動画の記録開始が指示される。
【０１１４】
ステップＳＴ５８では、動画撮影動作を行い撮影された動画像を記録する。この場合、ステップＳ５６で決定された露出補正値に基づき、露出補正動作が行われる。
【０１１５】
ステップＳＴ５９では、撮影者によって動画の記録終了が指示される。
【０１１６】
ステップＳＴ６０およびステップＳＴ６１では、図１２のステップＳＴ４０およびステップＳＴ４１と同様の動作を行う。
【０１１７】
ステップＳＴ６２では、ステップＳＴ５７と同様に、動画記録開始の指示が行われる。
【０１１８】
ステップＳＴ６３では、ステップＳＴ５８と同様に、動画撮影動作を行い撮影された動画像を記録する。なお、露出補正値は変更されていないため、ステップＳＴ５８と異なり、露出補正値が「０」の状態で撮影動作が行われる。
【０１１９】
ステップＳＴ６４では、ステップＳＴ５９と同様に、動画記録終了の指示が行われる。
【０１２０】
ステップＳＴ６５およびステップＳＴ６６では、図１２のステップＳＴ４４およびステップＳＴ４５と同様の動作を行う。
【０１２１】
ステップＳＴ６７では、図１２のステップＳＴ４６およびステップＳＴ４７と同様の動作を行う。
【０１２２】
ステップＳＴ６８およびステップＳＴ６９では、ステップＳＴ５７およびステップＳＴ５８と同様の動作を行う。
【０１２３】
ステップＳＴ７０およびステップＳＴ７１では、図１２のステップＳＴ５０およびステップＳＴ５１と同様の動作を行う。
【０１２４】
ステップＳＴ７２およびステップＳＴ７３では、ステップＳＴ６２およびステップＳＴ６３と同様の動作を行う。
【０１２５】
ステップＳＴ７４では、ステップＳＴ６６と同様の動作を行う。すなわち、動画撮影中においても電子ダイアル９２が操作された場合には、ステップＳＴ７５に進み、ヒストグラムを変更して表示する。これにより、撮影者は、撮影中にヒストグラムを確認しつつ電子ダイアル９２を操作することにより、逐次露出補正が行えることとなる。
【０１２６】
ステップＳＴ７５では、ステップＳＴ６７およびステップＳＴ６９と同様の動作を行う。
【０１２７】
ステップＳＴ７６では、ステップＳＴ７４と同様の動作を行う。
【０１２８】
ステップＳＴ７７では、ステップＳＴ５９と同様に、記録終了の指示が行われる。
【０１２９】
ステップＳＴ７８では、図１２のステップＳＴ５４と同様の動作を行う。
【０１３０】
以上の動画撮影モードにおける動作により、動画撮影においてもヒストグラム表示モードでは電子ダイアル９２の操作のみで露出補正値の変更を行うため、撮影された画像に関する輝度分布を表示する場合、簡易で迅速な露出設定が可能となる。一方、露出補正モードでは、ヒストグラム表示モードにおける露出設定より複雑な操作で露出設定を行うため、露出設定に関する操作であることを撮影者に確実に認識させて誤操作防止を図れる。
【０１３１】
＜変形例＞
◎上記の各実施形態においては、露出制御をＣＣＤによる電荷蓄積時間の調整により行うことは必須でなく、メカニカルシャッターを追加して、露光時間を調整することにより行うようにしても良い。
【０１３２】
◎上記の各実施形態においては、画像データにおける赤色（Ｒ）、緑色（Ｇ）、青色（Ｂ）全ての画素情報から輝度分布を求めてヒストグラムなどで表しているが、これに限らず、Ｒ、ＧおよびＢから選択される１の色、つまり光に係る１の波長域に関する画素値に基づく濃度情報表示を行っても良い。具体的には、波長域の成分分布（濃度分布）などを表示する。この場合には、例えばメニュー表示スイッチに対する操作によりメニュー画面を表示して、このメニュー画面の中で特定の波長域を指定するようにする。このような輝度表示により、より詳細な輝度分布を把握できる。
【０１３３】
◎上記の各実施形態においては、輝度分布をヒストグラムとして表示するのは必須でなく、折れ線グラフのような表示態様で表示しても良い。
【０１３４】
【発明の効果】
以上説明したように、請求項１ないし請求項５の発明によれば、輝度分布表示モードにおける露出設定の操作入力は、輝度分布表示モードと異なる所定の機能モードにおける露出設定の操作入力より操作入力の工程が少ないため、ファイダー画像に関する輝度分布を表示する場合、簡易な露出設定が可能となる。
【０１３５】
特に、請求項２の発明においては、特定の操作入力が単一の操作入力工程で構成され、所定の操作入力が複数の操作入力工程で構成されるため、輝度分布表示モードにおいて迅速な露出補正が可能となる。
【０１３６】
また、請求項３の発明においては、輝度分布表示モードの設定に連動して露出設定を行う機能モードに設定するため、利便性が向上する。
【０１３７】
また、請求項４の発明においては、１の操作部材に対する操作入力に応じて露出補正モードに設定し、また輝度分布表示モードに設定するため、操作部材の増加を抑制できる。また、関連する機能モードに関する操作入力を１の操作部材に割付けるため、操作入力の直感的な理解が容易となり、操作性が向上する。
【０１３８】
また、請求項５の発明においては、操作時間に応じて輝度分布表示モードへの設定と露出補正モードへの設定とを選択的に切替えるとともに、特定の操作入力と所定の操作入力とは同一の操作部材に対する操作入力を含むため、操作入力の直感的な理解がより容易となり、操作性が一層向上する。
【図面の簡単な説明】
【図１】本発明の第１実施形態に係るデジタルカメラ１Ａの外観の概略構成を示す図である。
【図２】デジタルカメラ１Ａの外観の概略構成を示す図である。
【図３】デジタルカメラ１Ａの外観の概略構成を示す図である。
【図４】デジタルカメラ１Ａの内部構成を示す概略ブロック図である。
【図５】露出補正モードにおける露出補正値の設定を説明するための図である。
【図６】デジタルカメラ１Ａの基本的な動作を説明するフローチャートである。
【図７】デジタルカメラ１Ａの動作を説明するための図である。
【図８】デジタルカメラ１Ａの動作を説明するための図である。
【図９】デジタルカメラ１Ａの動作を説明するための図である。
【図１０】本発明の第２実施形態に係るデジタルカメラ１Ｂの外観の概略構成を示す図である。
【図１１】デジタルカメラ１Ｂの外観の概略構成を示す図である。
【図１２】デジタルカメラ１Ｂの基本的な動作を説明するフローチャートである。
【図１３】動画撮影の動作を説明するフローチャートである。
【符号の説明】
１Ａ、１Ｂ  デジタルカメラ
９  シャッタボタン
１０、１１  ＬＣＤ
１５  ４連スイッチ
１７  表示切替ボタン
２０  ＥＶＦ
３３  メニュー表示スイッチ
９１  ダイアル
９２  電子ダイアル
９５  露出補正ボタン
１５０  全体制御部
３０３  ＣＣＤ
Ｇ１〜Ｇ３  ファインダー画像
ＨＧ１、ＨＧ２  ヒストグラム
【図１】
2004282229.tif 000003
【図２】
2004282229.tif 000004
【図３】
2004282229.tif 000005
【図４】
2004282229.tif 000006
【図５】
2004282229.tif 000007
【図６】
2004282229.tif 000008
【図７】
2004282229.tif 000009
【図８】
2004282229.tif 000010
【図９】
2004282229.tif 000011
【図１０】
2004282229.tif 000012
【図１１】
2004282229.tif 000013
【図１２】
2004282229.tif 000014
【図１３】
2004282229.tif 000015